(57)【要約】【課題】一般の契約行為における契約破棄時に買主に課されるリスクを計算機では一般に計算できないため、ワークフローの構築が困難である。【解決手段】契約代行部１３は、買主装置２から新規契約の依頼を受信し、売主装置３との間で契約の締結を行う。契約破棄代行部１４は、買主装置２からの締結された契約破棄を受信し、契約を破棄する場合には、契約破棄手数料を買主装置２に請求し、契約破棄依頼部１６は、契約破棄料を売主装置３に支払い契約破棄を送信する。契約管理部１５は、契約破棄の受信に対し、一定時間、売主装置３に契約破棄を送信させず、その契約内容によって分類して管理する。契約代行部１３は、新規契約の受信に対し、該管理された契約の中から等価や類似な契約を抽出し、差分を買主変更手数料でもって契約変更として売主装置３に送信し、変更が可能であればその契約を新規契約の受信に対し回答する。【選択図】  図１
2004341587.tif 000002
【特許請求の範囲】
【請求項１】
コンピュータネットワークによって接続される、任意の権利の売主と買主の間で拘束力のある契約の締結を目的とする方法であって、
買主装置からの契約の締結依頼を受信し、買主と売主との間で契約の締結を行う契約代行段階と、
買主装置からの締結された契約の破棄を受信し、該契約破棄に係る代行手数料の請求を買主装置に送信し、売主装置に対して該契約破棄料の支払いを送信する契約破棄代行段階と、
締結された契約に基づく相当額の買主変更手数料でもって売主装置に契約における買主の変更を送信する買主変更段階と、を有する
ことを特徴とする契約代行方法。
【請求項２】
契約破棄代行段階では、
買主装置からの契約破棄の受信に対して、一定時間、売主装置に対して契約破棄の送信を行なわず、
該売主装置に対して契約破棄の送信を行っていない契約を、契約内容によって分類して管理し、
買主変更段階では、
買主装置からの新規契約の受信に対して、契約内容によって分類して管理された契約の中から、買主以外は等価な契約を抽出し、管理された契約内容と新たに受信した契約内容の差分を、相当額の買主変更手数料でもって契約変更として売主装置に送信し、変更した契約を新規契約の受信に対する回答とする
ことを特徴とする請求項１に記載の契約代行方法。
【請求項３】
契約破棄代行段階では、
買主装置からの契約破棄の受信に対して、一定時間、売主装置に対して契約破棄の送信を行なわず、
該売主装置に対して契約破棄の送信を行っていない契約を、契約内容によって分類して管理し、
買主変更段階では、
買主装置からの新規契約の受信に対して、契約内容によって分類して管理された契約の中から、類似している契約を抽出し、管理された契約内容と新たに受信した契約内容の差分を、相当額の買主変更手数料でもって契約変更として売主装置に送信し、
売主装置において該契約変更が可能な場合は、該変更された契約を新規契約の受信に対する回答とし、
売主装置において該契約変更が不可能な場合は、該類似契約での契約締結可否を買主装置に問い合わせ、
該類似契約での契約締結が可能であるという買主装置からの返答の受信により、相当額の買主変更手数料でもって買主契約変更として売主装置に送信し、買主変更した契約を新規契約の受信に対する回答とし、
該類似契約での契約締結が不可能であるという買主装置からの返答の受信により、受信した新規契約をそのまま、売主装置に送信する
ことを特徴とする請求項１に記載の契約代行方法。
【請求項４】
契約破棄代行段階では、
契約における条件と、破棄の対象となる契約と同一に分類される新規契約の受信頻度、およびその時点で該契約の内容によって分類して管理されている契約の数とに基づいてリスク計算を行い、
該リスク計算結果を元に売主装置に契約破棄の送信を行う時間を決定し、その時間までに該破棄の対象となる契約が、契約変更による新規契約として締結されない場合に、売主装置に対して契約破棄を送信するか、
もしくは、該リスク計算結果を元にその時点で必要な契約数を決定し、その数を超える１つ以上の契約について売主装置に対して契約破棄を送信する
ことを特徴とする請求項２または３に記載の契約代行方法。
【請求項５】
契約破棄代行段階では、
リスク計算結果を元に契約破棄を送信した買主装置に請求する契約破棄料を、売主装置が示す契約破棄料に対して減額または一定額にして送信する
ことを特徴とする請求項４に記載の契約代行方法。
【請求項６】
契約破棄代行段階では、
リスク計算の方式が、任意のアルゴリズムによって置き換えることが可能なように構成されている
ことを特徴とする請求項４または５に記載の契約代行方法。
【請求項７】
契約破棄代行段階では、
契約を、契約内容によって分類して管理するに際し、ディレクトリ構成により契約を分類するか、もしくは、属性により契約を分類する
ことを特徴とする請求項２ないし６のいずれかに記載の契約代行方法。
【請求項８】
買主変更段階では、
買主変更手数料を求めるのに際し、売主における該当する商品の営業力と、本方法の実施に関係する法人もしくは個人もしくは団体における該当する商品の営業力を比較して、適切な金額を計算するか、または売主と本方法の実施に関係する法人もしくは個人もしくは団体との事前の交渉により決定された金額を提示する
ことを特徴とする請求項１ないし７のいずれか記載の契約代行方法。
【請求項９】
契約破棄代行段階では、
故意に契約破棄の時間を遅らせることや、第三者の名義での契約に変更することが法律上許されない場合に、買主装置からの契約破棄依頼の受信時に、売主装置の合意を得て、本方法の実施に関係する法人もしくは個人もしくは団体の名義への変更依頼を売主装置に送信する
ことを特徴とする請求項１ないし８のいずれかに記載の契約代行方法。
【請求項１０】
コンピュータネットワークによって接続される、任意の権利の売主と買主の間で拘束力のある契約の締結を目的とする装置であって、
買主装置からの契約の締結依頼を受信し、買主と売主との間で契約の締結を行う契約代行手段と、
買主装置からの締結された契約の破棄を受信し、該契約破棄に係る代行手数料の請求を買主装置に送信し、売主装置に対して該契約破棄料の支払いを送信する契約破棄代行手段と、
締結された契約に基づく相当額の買主変更手数料でもって売主装置に契約における買主の変更を送信する買主変更手段と、を有する
ことを特徴とする契約代行装置。
【請求項１１】
契約破棄代行手段は、
買主装置からの契約破棄の受信に対して、一定時間、売主装置に対して契約破棄の送信を行なわず、該売主装置に対して契約破棄の送信を行っていない契約を、契約内容によって分類して管理するものであり、
買主変更手段は、
買主装置からの新規契約の受信に対して、契約内容によって分類して管理された契約の中から、買主以外は等価な契約を抽出し、管理された契約内容と新たに受信した契約内容の差分を、相当額の買主変更手数料でもって契約変更として売主装置に送信し、変更した契約を新規契約の受信に対する回答とするものである
ことを特徴とする請求項１０に記載の契約代行装置。
【請求項１２】
契約破棄代行手段は、
買主装置からの契約破棄の受信に対して、一定時間、売主装置に対して契約破棄の送信を行なわず、該売主装置に対して契約破棄の送信を行っていない契約を、契約内容によって分類して管理するものであり、
買主変更手段は、
買主装置からの新規契約の受信に対して、契約内容によって分類して管理された契約の中から、類似している契約を抽出し、管理された契約内容と新たに受信した契約内容の差分を、相当額の買主変更手数料でもって契約変更として売主装置に送信し、売主装置において該契約変更が可能な場合は、該変更された契約を新規契約の受信に対する回答とし、売主装置において該契約変更が不可能な場合は、該類似契約での契約締結可否を買主装置に問い合わせ、該類似契約での契約締結が可能であるという買主装置からの返答の受信により、相当額の買主変更手数料でもって買主契約変更として売主装置に送信し、買主変更した契約を新規契約の受信に対する回答とし、該類似契約での契約締結が不可能であるという買主装置からの返答の受信により、受信した新規契約をそのまま、売主装置に送信するものである
ことを特徴とする請求項１０に記載の契約代行装置。
【請求項１３】
契約破棄代行手段は、
契約における条件と、破棄の対象となる契約と同一に分類される新規契約の受信頻度、およびその時点で該契約の内容によって分類して管理されている契約の数とに基づいてリスク計算を行い、該リスク計算結果を元に売主装置に契約破棄の送信を行う時間を決定し、その時間までに該破棄の対象となる契約が、契約変更による新規契約として締結されない場合に、売主装置に対して契約破棄を送信するか、もしくは、該リスク計算結果を元にその時点で必要な契約数を決定し、その数を超える１つ以上の契約について売主装置に対して契約破棄を送信するものである
ことを特徴とする請求項１１または１２に記載の契約代行装置。
【請求項１４】
契約破棄代行手段は、
リスク計算結果を元に契約破棄を送信した買主装置に請求する契約破棄料を、売主装置が示す契約破棄料に対して減額または一定額にして送信するものである
ことを特徴とする請求項１３に記載の契約代行装置。
【請求項１５】
契約破棄代行手段は、
リスク計算の方式が、任意のアルゴリズムによって置き換えることが可能なように構成されているものである
ことを特徴とする請求項１３または１４に記載の契約代行装置。
【請求項１６】
契約破棄代行手段は、
契約を、契約内容によって分類して管理するに際し、ディレクトリ構成により契約を分類するか、もしくは、属性により契約を分類するものである
ことを特徴とする請求項１１ないし１５のいずれかに記載の契約代行装置。
【請求項１７】
買主変更手段は、
買主変更手数料を求めるのに際し、売主における該当する商品の営業力と、本装置を代表するまたは本装置に関係する法人もしくは個人もしくは団体における該当する商品の営業力を比較して、適切な金額を計算するか、または売主と本装置を代表するまたは本装置に関係する法人もしくは個人もしくは団体との事前の交渉により決定された金額を提示するものである
ことを特徴とする請求項１０ないし１６のいずれか記載の契約代行装置。
【請求項１８】
契約破棄代行手段は、
故意に契約破棄の時間を遅らせることや、第三者の名義での契約に変更することが法律上許されない場合に、買主装置からの契約破棄依頼の受信時に、売主装置の合意を得て、本装置を代表するまたは本装置に関係する法人もしくは個人もしくは団体の名義への変更依頼を売主装置に送信するものである
ことを特徴とする請求項１０ないし１７のいずれかに記載の契約代行装置。
【請求項１９】
請求項１ないし９のいずれかに記載の契約代行方法における段階を、コンピュータに実行させるためのプログラムとした
ことを特徴とする契約代行プログラム。
【請求項２０】
請求項１ないし９のいずれかに記載の契約代行方法における段階を、コンピュータに実行させるためのプログラムとし、
該プログラムを、該コンピュータが読み取りできる記録媒体に記録した
ことを特徴とする契約代行プログラムを記録した記録媒体。
【発明の詳細な説明】
【０００１】
【発明の属する技術分野】
本発明は、インターネットなど公共のネットワークを介して権利の交換を行う方法および装置に関し、特に、契約のキャンセル処理の蓄積により差益を得る方法および装置に関する。
【０００２】
【従来の技術】
インターネットによるホテルや航空チケットの予約に代表されるように、Ｗｅｂアプリケーション構築技術を利用した計算機対人間のサービスに加えて、ｗｅｂサービスやワークフロー技術を利用した計算機対計算機での権利流通が一般化してきている。
【０００３】
ワークフローにおいては、一般的に、処理の続行が不可能になると、一貫性保持の観点から、それまでの処理をキャンセルする必要が生じる（非特許文献１）。システムに閉じた処理においては、問題になる可能性の低いキャンセル処理が、外部のシステムに対しては、一般にキャンセル料などのビジネス上の問題として浮上する。キャンセル料を事前に想定したワークフローの構築は、そのリスク評価が一般に難しく、このリスクを回避する手段の構築は困難であった。
【０００４】
また、二者間の契約を代行するインターネットアプリケーションは、プライスライン・ドット・コム・インコーポレイテッド社が提供する逆オークションサービス（特許文献１）や、株式会社エヌ・ティ・ティ  エックスあるいはヤフー株式会社が提供するオークションサービスに代表されるように広く一般的であるが、対象は人間対計算機であり、計算機対計算機での権利流通において発生する上記キャンセル時の問題は考慮されていない。
【０００５】
【非特許文献１】
Ｔ．Ｈａｔａｓｈｉｍａ，ｅｔ  ａｌ．，ＷｅｂＳｅｒｖｉｃｅ  Ｐｒｏｃｅｓｓｉｎｇ  Ｐｌａｔｆｏｒｍ−ｅＣｏ−Ｆｌｏｗ，ＳＡＩＮＴ  ２００２，Ｗｏｒｋｓｈｏｐ，Ｊａｎ．２００２，ｐｐ．１８６−１９５．
【０００６】
【特許文献１】
特表２００１−５０９６２２号公報：航空会社が特定された航空券を販売するための方法及び装置
【０００７】
【発明が解決しようとする課題】
本発明が解決しようとする課題は、広く一般に行われる契約行為における契約破棄（キャンセル）行為を、契約破棄時に買主に課されるリスクが、計算機においては一般に計算できない（リスク評価ができない）ために、契約破棄を伴うワークフローの構築が困難になるという課題である。
【０００８】
【課題を解決するための手段】
上記の課題を解決するため、本発明は、コンピュータネットワークによって接続される、任意の権利の売主と買主の間で拘束力のある契約の締結を目的とする方法であって、買主装置からの契約の締結依頼を受信し、買主と売主との間で契約の締結を行う契約代行段階と、買主装置からの締結された契約の破棄を受信し、該契約破棄に係る代行手数料の請求を買主装置に送信し、売主装置に対して該契約破棄料の支払いを送信する契約破棄代行段階と、締結された契約に基づく相当額の買主変更手数料でもって売主装置に契約における買主の変更を送信する買主変更段階と、を有することを特徴とする契約代行方法を、その手段とする。
【０００９】
あるいは、上記契約代行方法において、契約破棄代行段階では、買主装置からの契約破棄の受信に対して、一定時間、売主装置に対して契約破棄の送信を行なわず、該売主装置に対して契約破棄の送信を行っていない契約を、契約内容によって分類して管理し、買主変更段階では、買主装置からの新規契約の受信に対して、契約内容によって分類して管理された契約の中から、買主以外は等価な契約を抽出し、管理された契約内容と新たに受信した契約内容の差分を、相当額の買主変更手数料でもって契約変更として売主装置に送信し、変更した契約を新規契約の受信に対する回答とすることを特徴とする契約代行方法を、その手段とする。
【００１０】
あるいは、上記契約代行方法において、契約破棄代行段階では、買主装置からの契約破棄の受信に対して、一定時間、売主装置に対して契約破棄の送信を行なわず、該売主装置に対して契約破棄の送信を行っていない契約を、契約内容によって分類して管理し、買主変更段階では、買主装置からの新規契約の受信に対して、契約内容によって分類して管理された契約の中から、類似している契約を抽出し、管理された契約内容と新たに受信した契約内容の差分を、相当額の買主変更手数料でもって契約変更として売主装置に送信し、売主装置において該契約変更が可能な場合は、該変更された契約を新規契約の受信に対する回答とし、売主装置において該契約変更が不可能な場合は、該類似契約での契約締結可否を買主装置に問い合わせ、該類似契約での契約締結が可能であるという買主装置からの返答の受信により、相当額の買主変更手数料でもって買主契約変更として売主装置に送信し、買主変更した契約を新規契約の受信に対する回答とし、該類似契約での契約締結が不可能であるという買主装置からの返答の受信により、受信した新規契約をそのまま、売主装置に送信することを特徴とする契約代行方法を、その手段とする。
【００１１】
あるいは、上記契約代行方法において、契約破棄代行段階では、契約における条件と、破棄の対象となる契約と同一に分類される新規契約の受信頻度、およびその時点で該契約の内容によって分類して管理されている契約の数とに基づいてリスク計算を行い、該リスク計算結果を元に売主装置に契約破棄の送信を行う時間を決定し、その時間までに該破棄の対象となる契約が、契約変更による新規契約として締結されない場合に、売主装置に対して契約破棄を送信するか、もしくは、該リスク計算結果を元にその時点で必要な契約数を決定し、その数を超える１つ以上の契約について売主装置に対して契約破棄を送信することを特徴とする契約代行方法を、その手段とする。
【００１２】
あるいは、上記契約代行方法において、契約破棄代行段階では、リスク計算結果を元に契約破棄を送信した買主装置に請求する契約破棄料を、売主装置が示す契約破棄料に対して減額または一定額にして送信することを特徴とする契約代行方法を、その手段とする。
【００１３】
あるいは、上記契約代行方法において、契約破棄代行段階では、リスク計算の方式が、任意のアルゴリズムによって置き換えることが可能なように構成されていることを特徴とする契約代行方法を、その手段とする。
【００１４】
あるいは、上記契約代行方法において、契約破棄代行段階では、契約を、契約内容によって分類して管理するに際し、ディレクトリ構成により契約を分類するか、もしくは、属性により契約を分類することを特徴とする契約代行方法を、その手段とする。
【００１５】
あるいは、上記契約代行方法において、買主変更段階では、買主変更手数料を求めるのに際し、売主における該当する商品の営業力と、本方法の実施に関係する法人もしくは個人もしくは団体における該当する商品の営業力を比較して、適切な金額を計算するか、または売主と本方法の実施に関係する法人もしくは個人もしくは団体との事前の交渉により決定された金額を提示することを特徴とする契約代行方法を、その手段とする。
【００１６】
あるいは、上記契約代行方法において、契約破棄代行段階では、故意に契約破棄の時間を遅らせることや、第三者の名義での契約に変更することが法律上許されない場合に、買主装置からの契約破棄依頼の受信時に、売主装置の合意を得て、本方法の実施に関係する法人もしくは個人もしくは団体の名義への変更依頼を売主装置に送信することを特徴とする契約代行方法を、その手段とする。
【００１７】
あるいは、コンピュータネットワークによって接続される、任意の権利の売主と買主の間で拘束力のある契約の締結を目的とする装置であって、買主装置からの契約の締結依頼を受信し、買主と売主との間で契約の締結を行う契約代行手段と、買主装置からの締結された契約の破棄を受信し、該契約破棄に係る代行手数料の請求を買主装置に送信し、売主装置に対して該契約破棄料の支払いを送信する契約破棄代行手段と、締結された契約に基づく相当額の買主変更手数料でもって売主装置に契約における買主の変更を送信する買主変更手段と、を有することを特徴とする契約代行装置を、その手段とする。
【００１８】
あるいは、上記契約代行装置において、契約破棄代行手段は、買主装置からの契約破棄の受信に対して、一定時間、売主装置に対して契約破棄の送信を行なわず、該売主装置に対して契約破棄の送信を行っていない契約を、契約内容によって分類して管理するものであり、買主変更手段は、買主装置からの新規契約の受信に対して、契約内容によって分類して管理された契約の中から、買主以外は等価な契約を抽出し、管理された契約内容と新たに受信した契約内容の差分を、相当額の買主変更手数料でもって契約変更として売主装置に送信し、変更した契約を新規契約の受信に対する回答とするものであることを特徴とする契約代行装置を、その手段とする。
【００１９】
あるいは、上記契約代行装置において、契約破棄代行手段は、買主装置からの契約破棄の受信に対して、一定時間、売主装置に対して契約破棄の送信を行なわず、該売主装置に対して契約破棄の送信を行っていない契約を、契約内容によって分類して管理するものであり、買主変更手段は、買主装置からの新規契約の受信に対して、契約内容によって分類して管理された契約の中から、類似している契約を抽出し、管理された契約内容と新たに受信した契約内容の差分を、相当額の買主変更手数料でもって契約変更として売主装置に送信し、売主装置において該契約変更が可能な場合は、該変更された契約を新規契約の受信に対する回答とし、売主装置において該契約変更が不可能な場合は、該類似契約での契約締結可否を買主装置に問い合わせ、該類似契約での契約締結が可能であるという買主装置からの返答の受信により、相当額の買主変更手数料でもって買主契約変更として売主装置に送信し、買主変更した契約を新規契約の受信に対する回答とし、該類似契約での契約締結が不可能であるという買主装置からの返答の受信により、受信した新規契約をそのまま、売主装置に送信するものであることを特徴とする契約代行装置を、その手段とする。
【００２０】
あるいは、上記契約代行装置において、契約破棄代行手段は、契約における条件と、破棄の対象となる契約と同一に分類される新規契約の受信頻度、およびその時点で該契約の内容によって分類して管理されている契約の数とに基づいてリスク計算を行い、該リスク計算結果を元に売主装置に契約破棄の送信を行う時間を決定し、その時間までに該破棄の対象となる契約が、契約変更による新規契約として締結されない場合に、売主装置に対して契約破棄を送信するか、もしくは、該リスク計算結果を元にその時点で必要な契約数を決定し、その数を超える１つ以上の契約について売主装置に対して契約破棄を送信するものであることを特徴とする契約代行装置を、その手段とする。
【００２１】
あるいは、上記契約代行装置において、契約破棄代行手段は、リスク計算結果を元に契約破棄を送信した買主装置に請求する契約破棄料を、売主装置が示す契約破棄料に対して減額または一定額にして送信するものであることを特徴とする契約代行装置を、その手段とする。
【００２２】
あるいは、上記契約代行装置において、契約破棄代行手段は、リスク計算の方式が、任意のアルゴリズムによって置き換えることが可能なように構成されているものであることを特徴とする契約代行装置を、その手段とする。
【００２３】
あるいは、上記契約代行装置において、契約破棄代行手段は、契約を、契約内容によって分類して管理するに際し、ディレクトリ構成により契約を分類するか、もしくは、属性により契約を分類するものであることを特徴とする契約代行装置を、その手段とする。
【００２４】
あるいは、上記契約代行装置において、買主変更手段は、買主変更手数料を求めるのに際し、売主における該当する商品の営業力と、本装置を代表するまたは本装置に関係する法人もしくは個人もしくは団体における該当する商品の営業力を比較して、適切な金額を計算するか、または売主と本装置を代表するまたは本装置に関係する法人もしくは個人もしくは団体との事前の交渉により決定された金額を提示するものであることを特徴とする契約代行装置を、その手段とする。
【００２５】
あるいは、上記契約代行装置において、契約破棄代行手段は、故意に契約破棄の時間を遅らせることや、第三者の名義での契約に変更することが法律上許されない場合に、買主装置からの契約破棄依頼の受信時に、売主装置の合意を得て、本装置を代表するまたは本装置に関係する法人もしくは個人もしくは団体の名義への変更依頼を売主装置に送信するものであることを特徴とする契約代行装置を、その手段とする。
【００２６】
あるいは、上記契約代行方法における段階を、コンピュータに実行させるためのプログラムとしたことを特徴とする契約代行プログラムを、その手段とする。
【００２７】
あるいは、上記契約代行方法における段階を、コンピュータに実行させるためのプログラムとし、該プログラムを、該コンピュータが読み取りできる記録媒体に記録したことを特徴とする契約代行プログラムを記録した記録媒体を、その手段とする。
【００２８】
本発明では、契約の破棄時に買主に対して発生する契約破棄料を、例えば減額、あるいは一定額にするなどして請求することにより、買主、あるいは買主の意思を代行する計算機が、キャンセルするリスクを心配せずに契約することを可能にするとともに、売主に対しては、本来契約が破棄されることで得られなくなったであろう利益を、別の契約者に割り当てることにより、得られる可能性、および、別の買主への割り当てが成功した場合の買主変更手数料を取得する可能性を与えることを可能にする。また、本発明の実施や構成に関係する法人・個人・団体が、手数料の差益を得られる可能性や、その差益をサービスに転嫁（すなわち、関係する法人・個人・団体が差益を得ないかわりに、売主・買主にサービスとして転嫁）することを可能にする。
【００２９】
【発明の実施の形態】
以下、本発明の実施の形態について図を用いて詳細に説明する。
【００３０】
本発明は、買主装置と売主装置の間に位置し、以下に示す機能や手続きでもって、契約破棄料の発生リスクを回避する。
【００３１】
図１は、本発明による契約代行装置の実施の一形態を示す構成図である。図１のように構成される契約代行装置１は、以下の各部による機能を有する。
【００３２】
〈０〉［買主境界部１１］、［売主境界部１２］コンピュータネットワークで接続された売主装置３および買主装置２と、本装置１の間の境界処理を実施する機能。具体的には、以下の機能によって明らかになる売主装置（以下、単に売主）３と本装置１、買主装置（以下、単に買主）２と本装置１間でやり取りされる情報の送受信を、モデム・ルータ等の通信機器、およびそれらを利用する計算機によって、実施する機能。
【００３３】
〈１〉［契約代行部１３］不特定の買主２から、不特定の売主３の商品・サービスの取得契約依頼を受信し、以下の何れかの手段により、買主２が要求する売主３との契約を成立させる機能。
（ア）売主３に対して該契約依頼を送信し、新規契約を成立させる手段であって、本契約の買主名義変更手数料は、後述〈６〉の機能によって算出される手段。
（イ）後述〈３〉の機能により管理される破棄の依頼を受けた契約の中から、買主２に関する情報を除いて、買主２の要望と等価の契約に対して、該契約の売主３へ、契約に基づく買主名義変更手数料でもって該契約における旧買主の依頼のある買主２への変更依頼を送信し、契約を成立させる手段。ここで、契約が等価であるとは、契約における買主２を除く属性値が等しいことを意味する。契約における属性とは、ホテルの宿泊契約であれば、宿泊料やベッドの形状、部屋の形状などを指す。
（ウ）後述〈３〉の機能により管理される破棄の依頼を受けた契約の中から、買主２の要望に類似する契約に対して、該契約の売主３へ、契約に基づく買主名義変更手数料でもって該契約における契約の諸条件、および旧買主の依頼のある買主２への変更依頼を送信し、契約を成立させる手段。ここで、契約が類似であるとは、契約における属性の値が類似することを指す。属性の値が類似することは、属性の値の類似度を別途定義することにより与える。例えば、宿泊料においては、プラスマイナス１０％は類似である、ベッドの形状は、ダブルベッドとツインベッドは類似である、などの定義を与え、その定義に基づき、契約の類似度を判定する。
（エ）（ウ）の手段による契約の諸条件の変更が、売主３によって拒絶された場合、買主２の希望とは異なる該契約の契約条件での契約締結の可否を買主２に送信し、買主２の可の判断の受信を受け、該契約の売主３へ、契約に基づく買主名義変更手数料でもって該契約における旧買主の依頼のある買主２への変更依頼を送信し、契約を成立させる手段。
【００３４】
〈２〉［契約破棄代行部１４］〈１〉あるいは後述〈３〉により締結されている契約の破棄依頼を買主２（もしくは売主３）から受信し、買主２に契約破棄手数料の要求を送信し、以下の何れかの手段により、本契約における買主２の履行義務が発生しないように取り扱う機能。
（ア）売主３に対して、契約に基づく契約破棄料でもって契約破棄依頼を送信することで、買主２の履行義務が発生しないように取り扱う手段。
（イ）売主３に対する契約破棄の依頼を実施せずに、後述の〈３〉の機能により契約を管理しておき、別の時点において、〈１〉（イ）（ウ）の手段により、買主を変更することで、買主２の履行義務が発生しないように取り扱う手段。またこのとき、法律上、あるいは該契約上の理由によって、代理人による契約破棄の故意の遅延が許されない場合、買主２から契約破棄依頼を受け取った時点で、買主２と、本契約代行装置１を代表する、あるいは関係する法人・個人・団体等（以降、単に代行者）との間で、該契約により発生する債務・債権の交換を行い、その結果として、該契約の売主３に対して、契約に基づく買主名義変更手数料でもって該契約における旧買主２の代行者への変更依頼を送信することで、売主３の合意を得て、買主２の履行義務が発生しないように取り扱う手段。
【００３５】
〈３〉［契約管理部１５］〈２〉によって発生する買主２から破棄の依頼を受け、売主３に契約破棄依頼を送信していない契約を、等価な契約ごとにグループ化し管理する機能。
【００３６】
〈４〉［契約破棄依頼部１６］〈２〉（ア）を実施する機会において、
（ア）対象となる契約に関する条件と、
（イ）〈１〉の機能により受信する契約依頼において、本契約と等価、あるいは類似である契約依頼の到着頻度や時系列の分布等の任意の統計的情報と、
（ウ）本契約と等価、あるいは類似である契約が〈３〉によって管理されている契約数と、の３条件から、〈３〉によって等価なグループとして管理される契約のうち、破棄すべき（複数の）契約を、外部のコスト計算装置に算出依頼し、買主２に対してその時点、あるいは、外部のコスト計算装置が出力する時間に従って破棄の送信を行う機能。コスト計算装置は、該３条件に基づいてコスト計算（リスク計算）を行い、その結果を元に対象となる契約の破棄の送信を行う時間を決定して出力するか、もしくは、該結果を元にその時点で必要な契約数を決定して出力する。契約破棄依頼部１６は、出力された時間までに該破棄の対象となる契約が、契約変更による新規契約として締結されない場合に、売主３に対して契約破棄を送信するか、出力された契約数を超える１つ以上の契約について売主３に対して契約破棄を送信する。なお、上記コスト計算（リスク計算）の方式は、任意のアルゴリズムによって置き換えることが可能なように構成されている。
【００３７】
〈５〉［契約破棄手数料算出部１７］〈２〉の買主２に対する契約破棄手数料に関して、その値を、〈４〉の（ア）（イ）（ウ）の３条件から、外部のコスト計算装置に算出依頼を行い、その結果に基づいて決定する機能。なお、契約破棄手数料算出部１７は、上記のコスト計算（リスク計算）結果を元に契約破棄を送信した買主２に請求する契約破棄料を、売主３が示す契約破棄料に対して減額または一定額にして送信するようにしてもよい。
【００３８】
〈６〉［買主名義変更手数料算出部１８］〈１〉の（ア）（イ）（ウ）（エ）の売主３に対する買主名義変更手数料に関して、その値を、〈４〉の（ア）（イ）（ウ）の３条件、および本契約の売主３と代行者との間の営業力の比較から、外部のコスト計算装置に算出依頼を行い、その結果に基づいて決定する機能、あるいは、本契約の売主３と代行者との事前の交渉の結果から、買主２ごとに決定される買主名義変更手数料を提示する機能。
【００３９】
〈７〉［契約管理方法選択部１９］〈３〉における管理方法として、
（ア）ディレクトリにより管理する手段
（イ）属性により管理する手段
（ウ）その他任意の管理を行う手段を任意に選択できる機能からなる。
【００４０】
次に、以下の《１》〜《７》の場合に分けて、本発明による契約代行方法の実施の一形態を説明する。
【００４１】
《１》買主境界部１１が、契約管理部１５で管理されない新規契約依頼を買主装置２から受信した場合、
《２》買主境界部１１が、契約管理部１５で管理される契約に等価な新規契約依頼を買主装置２から受信した場合、
《３》買主境界部１１が、契約管理部１５で管理される契約に類似する新規契約依頼を買主装置２から受信した場合で、売主が変更契約可能であると判断した場合、
《４》買主境界部１１が、契約管理部１５で管理される契約に類似する新規契約依頼を買主装置２から受信した場合で、売主が変更契約不可能であると判断した場合で、売主が類似契約による契約を可能であると判断した場合、
《５》買主境界部１１が、契約管理部１５で管理される契約に類似する新規契約依頼を買主装置２から受信した場合で、売主が変更契約不可能であると判断した場合で、売主が類似契約による契約を不可能であると判断した場合、
《６》買主境界部１１が、買主装置２から締結された契約の破棄依頼を受信した場合、
《７》契約破棄依頼部１６が、定期的な契約破棄を実施する場合。
【００４２】
《１》買主境界部１１が、契約管理部１５で管理されない新規契約依頼を買主装置２から受信した場合について、図２のシーケンス図を用いて説明する。
（ａ）買主境界部１１は、買主装置２から新規契約依頼を受信し、新規契約依頼であるため、契約代行部１３に転送する。
（ｂ）契約代行部１３は、買主境界部１１から新規契約依頼を受け取り、契約管理部１５に対する等価契約の検索、類似契約の検索、および、売主装置３に対する新規契約の締結の順に処理を行う。従って、まず初めに、契約管理部１５に、受信した新規契約依頼と等価な契約の検索依頼を送信する。
（ｃ）契約管理部１５は、契約代行部１３から新規契約依頼と等価な契約の検索依頼を受信し、自ら管理する契約から該当する契約を検索する。
（ｄ）結果、検索されないため、該当する結果が得られない旨を契約代行部１３に送信する。
（ｅ）契約代行部１３は、契約管理部１５からの該当する結果が得られない旨を受信し、次に、契約管理部１５に、受信した新規契約依頼と類似な契約の検索依頼を送信する。
（ｆ）契約管理部１５は、契約代行部１３から新規契約依頼と類似な契約の検索依頼を受信し、自ら管理する契約から該当する契約を検索する。
（ｇ）結果、検索されないため、該当する結果が得られない旨を契約代行部１３に送信する。
（ｈ）契約代行部１３は、契約管理部１５からの該当する結果が得られない旨を受信し、最後に、契約依頼から、契約の対象となる売主を抽出し、該当する売主に契約依頼を行うように、売主境界部１２へ新規契約依頼を送信する。
（ｉ）売主境界部１２は、契約代行部１３から新規契約依頼を受信し、指定される売主装置３に対して、新規契約依頼を送信する。
（ｊ）指定される売主装置３は、売主境界部１２から新規契約依頼を受信し、該当する契約を作成し、該当する契約の結果を売主境界部１２に返却する。
（ｋ）売主境界部１２は、指定される売主装置３から契約の結果を受信し、該結果を契約代行部１３に送信する。
（ｌ）契約代行部１３は、売主境界部１２から契約の結果を受信し、該結果を買主境界部１１に送信する。
（ｍ）買主境界部１１は、売主境界部１２から契約の結果を受信し、該結果を買主装置２に送信する。
【００４３】
《２》買主境界部１１が、契約管理部１５で管理される契約に等価な新規契約依頼を買主装置２から受信した場合について、図３のシーケンス図を用いて説明する。
（ａ）買主境界部１１は、買主装置２から新規契約依頼を受信し、新規契約依頼であるため、契約代行部１３に転送する。
（ｂ）契約代行部１３は、買主境界部１１から新規契約依頼を受け取り、契約管理部１５に対する等価契約の検索、類似契約の検索、および、売主装置３に対する新規契約の締結の順に処理を行う。従って、まず初めに、契約管理部１５に、受信した新規契約依頼と等価な契約の検索依頼を送信する。
（ｃ）契約管理部１５は、契約代行部１３から新規契約依頼と等価な契約の検索依頼を受信し、自ら管理する契約から該当する契約を検索する。
（ｄ）結果、該当する契約が検索され、契約代行部１３に該契約を送信する。
（ｅ）契約代行部１３は、契約管理部１５から受信した契約に対して、該契約の買主名義変吏手数料の算出依頼を、買主名義変更手数料算出部１８に送信する。
（ｆ）買主名義変更手数料算出部１８は、契約代行部１３から受信した契約の買主名義変更手数料の算出依頼に対して、契約代行部１３が持つ該契約の発生頻度などの統計データや、契約管理部１５が管理する等価な契約の数、該契約の内容などから、買主名義変更手数料を算出し、契約代行部１３に送信する。買主名義変更手数料の決定における具体的な方法の例としては、管理される等価な契約の数が多い場合、売主の営業力が、代行者に劣る場合には、買主名義変更手数料は低く設定される。
（ｇ）契約代行部１３は、買主名義変更手数料算出部１８からの買主名義変更手数料の受信を受け、該手数料でもって、該契約の新たな買主への変更依頼を、該当する売主へ依頼を行うように、売主境界部１２に買主名義変更依頼を送信する。
（ｈ）売主境界部１２は、契約代行部１３から買主名義変更依頼を受信し、指定される売主装置３に対して、買主名義変更依頼を送信する。
（ｉ）指定される売主装置３は、売主境界部１２から買主名義変更依頼を受信し、該当する契約の変更を実施し、変更の結果を売主境界部１２に返却する。
（ｊ）売主境界部１２は、指定される売主装置３から変更の結果を受信し、該結果を契約代行部１３に送信する。
（ｋ）契約代行部１３は、売主境界部１２から変更の結果を受信し、該結果を新規契約として買主境界部１１に送信する。
（ｌ）買主境界部１１は、新規契約の結果を受信し、該結果を買主装置２に送信する。
【００４４】
《３》買主境界部１１が、契約管理部１５で管理される契約に類似する新規契約依頼を買主装置２から受信した場合で、売主が変更契約可能であると判断した場合について、図４のシーケンス図を用いて説明する。
（ａ）買主境界部１１は、買主装置２から新規契約依頼を受信し、新規契約依頼であるため、契約代行部１３に転送する。
（ｂ）契約代行部１３は、買主境界部１１から新規契約依頼を受け取り、契約管理部１５に対する等価契約の検索、類似契約の検索、および、売主装置３に対する新規契約の締結の順に処理を行う。従って、まず初めに、契約管理部１５に、受信した新規契約依頼と等価な契約の検索依頼を送信する。
（ｃ）契約管理部１５は、契約代行部１３から新規契約依頼と等価な契約の検索依頼を受信し、自ら管理する契約から該当する契約を検索する。
（ｄ）結果、検索されないため、該当する結果が得られない旨を契約代行部１３に送信する。
（ｅ）契約代行部１３は、契約管理部１５からの該当する結果が得られない旨を受信し、次に、契約管理部１５に、受信した新規契約依頼と類似な契約の検索依頼を送信する。
（ｆ）契約管理部１５は、契約代行部１３から新規契約依頼と類似な契約の検索依頼を受信し、自ら管理する契約から該当する契約を検索する。
（ｇ）結果、該当する契約が検索され、契約代行部１３に該契約を送信する。
（ｈ）契約代行部１３は、契約管理部１５から受信した契約に対して、該契約の買主名義変更手数料の算出依頼を、買主名義変更手数料算出部１８に送信する。
（ｉ）買主名義変更手数料算出部１８は、契約代行部１３から受信した契約の買主名義変更手数料の算出依頼に対して、契約代行部１３が持つ該契約の発生頻度などの統計データや、契約管理部１５が管理する等価な契約の数、該契約の内容などから、買主名義変更手数料を算出し、契約代行部１３に送信する。買主名義変更手数料の決定における具体的な方法の例としては、管理される等価な契約の数が多い場合、売主の営業力が、代行者に劣る場合には、買主名義変更手数料は低く設定される。
（ｊ）契約代行部１３は、買主名義変更手数料算出部１８からの買主名義変更手数料の受信を受け、該手数料でもって、該契約の新たな買主への変更依頼、および（類似であるため）契約内容の変更を、該当する売主へ依頼を行うように、売主境界部１２に変更依頼を送信する。
（ｋ）売主境界部１２は、契約代行部１３から変更依頼を受信し、指定される売主装置３に対して、変更依頼を送信する。
（ｌ）指定される売主装置３は、売主境界部１２から変更依頼を受信し、契約変更の可否を判断し、可能である場合、該当する契約の変更を実施し、変更の結果を売主境界部１２に返却する（可能でない場合は、次項において解説する）。ここで、契約変更における具体的な例としては、宿泊契約における、部屋の形状や、泊数の変更などが相当し、契約変更の可否の判断とは、指定される変更が受理できるか否かを判断することである。
（ｍ）売主境界部１２は、指定される売主装置３から変更の結果を受信し、該結果を契約代行部１３に送信する。
（ｎ）契約代行部１３は、売主境界部１２から変更の結果を受信し、該結果を新規契約として買主境界部１１に送信する。
（ｏ）買主境界部１１は、契約代行部１３から新規契約の結果を受信し、該結果を買主装置２に送信する。
【００４５】
《４》買主境界部１１が、契約管理部１５で管理される契約に類似する新規契約依頼を買主装置２から受信した場合で、売主が変更契約不可能であると判断した場合で、売主が類似契約による契約を可能であると判断した場合について、図５のシーケンス図を用いて説明する。
（ｋ）までの手順は、《３》によるシーケンスと同様である。
（ｌ）指定される売主装置３は、売主境界部１２から変更依頼を受信し、契約変更の可否を判断し、不可能である場合、その事実を売主境界部１２に送信する。
（ｍ）売主境界部１２は、指定される売主装置３から変更が不可能である旨を受信し、該結果を契約代行部１３に送信する。
（ｎ）契約代行部１３は、売主境界部１２から変更が不可能である旨を受信し、買主境界部１１に対して、類似の契約で代用が可能か否かを買主に問い合わせる旨を送信する。
（ｏ）買主境界部１１は、買主装置２に対して、類似の契約で代用が可能か否かの問い合わせを送信する。
（ｐ）買主装置２（あるいは装置を操作する買主）は、代用可能か否かの判断を、買主境界部１１に送信する。ここでは、代用可能であるとする（不可能な場合は、次項において解説する）。ここで、代用可能か否かの判断は、提示された契約内容を閲覧した買主、あるいはそのエージェントが、買主装置２を操作することにより行う。
（ｑ）買主境界部１１は、代用可能である判断を買主装置２から受信し、契約代行部１３に送信する。
（ｒ）契約代行部１３は、代用可能である判断を買主境界部１１から受信し、該契約の新たな買主への変更依頼を、先に（ｊ）おいて受信した買主名義変更手数料でもって該当する売主へ依頼を行うように、売主境界部１２に買主名義変更依頼を送信する。
（ｓ）売主境界部１２は、契約代行部１３から買主名義変更依頼を受信し、指定される売主装置３に対して、買主名義変更依頼を送信する。
（ｔ）指定される売主装置３は、売主境界部１２から買主名義変更依頼を受信し、該当する契約の変更を実施し、変更の結果を売主境界部１２に返却する。
（ｕ）売主境界部１２は、指定される売主装置３から変更の結果を受信し、該結果を契約代行部１３に送信する。
（ｖ）契約代行部１３は、売主境界部１２から変更の結果を受信し、該結果を新規契約として買主境界部１１に送信する。
（ｗ）買主境界部１１は、契約代行部１３から適切に変更された新規契約の結果を受信し、該結果を買主装置２に送信する。
【００４６】
《５》買主境界部１１が、契約管理部１５で管理される契約に類似する新規契約依頼を買主装置２から受信した場合で、売主が変更契約不可能であると判断した場合で、売主が類似契約による契約を不可能であると判断した場合、買主境界部１１が、買主装置２から締結された契約の破棄依頼を受信した場合について、図６のシーケンス図を用いて説明する。
（ｏ）までの手順は、《４》によるシーケンスと同様である。
（ｐ）買主装置２（あるいは装置を操作する買主）は、代用可能か否かの判断を、買主境界部１１に送信する。ここでは、代用不可能であるとする。
（ｑ）買主境界部１１は、代用不可能である判断を買主装置２から受信し、契約代行部１３に送信する。
（ｒ）契約代行部１３は、代用不可能である判断を買主境界部１１から受信し、最後に契約依頼から、契約の対象となる売主を抽出し、該当する売主に契約依頼を行うように、売主境界部１２へ新規契約依頼を送信する。
（ここからの手順は《１》の（ｈ）以降の手順と同様である）
（ｓ）売主境界部１２は、契約代行部１３から新規契約依頼を受信し、指定される売主装置３に対して、新規契約依頼を送信する。
（ｔ）指定される売主装置３は、売主境界部１２から新規契約依頼を受信し、該当する契約を作成し、該当する契約の結果を売主境界部１２に返却する。
（ｕ）売主境界部１２は、指定される売主装置３から契約の結果を受信し、該結果を契約代行部１３に送信する。
（ｖ）契約代行部１３は、売主境界部１２から契約の結果を受信し、該結果を買主境界部１１に送信する。
（ｗ）買主境界部１１は、売主境界部１２から契約の結果を受信し、該結果を買主装置２に送信する。
【００４７】
《６》買主境界部１１が、買主装置２から締結された契約の破棄依頼を受信した場合について、図７のシーケンス図を用いて説明する。
（ａ）買主境界部１１は、買主装置２から契約破棄依頼を受信し、契約破棄依頼を、契約破棄代行部１４に転送する。
（ｂ）契約破棄代行部１４は、買主境界部１１から契約破棄依頼を受け取り、契約管理部１５に該当の契約を管理可能か問い合わせる。
（ｃ）契約管理部１５は、対象の契約の管理の可否を、契約破棄代行部１４に返却する。管理の可否は、売主と代行者の基本契約により、契約破棄の仲介、およびその遅延行為が可能な場合に可と判断される。
（ｄ）契約破棄代行部１４は、契約管理部１５からの回答が否の場合、売主境界部１２に契約破棄を依頼し、破棄の結果を買主境界部１１を経由して、買主装置２へ送信する。回答が可の場合、法律上あるいは売主と代行者間の基本契約上、代行者が契約を保持するために買主名義変更が必要な場合は、このまま続行し、不要な場合は、（ｉ）以降の処理を行う。
（ｅ）契約破棄代行部１４は、売主境界部１２に対して、買主の名義を、代行者に変更する買主名義変更依頼を送信する。
（ｆ）売主境界部１２は、買主名義変更依頼を受信し、売主装置３に送信する。
（ｇ）売主装置３は、買主名義変更依頼を受信し、該当の契約における買主の変更処理を実施し、変更の結果を、売主境界部１２に送信する。
（ｈ）売主境界部１２は、売主装置３から受信した変更の結果を、契約破棄代行部１４に送信する。
（ｉ）契約破棄代行部１４は、契約管理部１５に対して、該当の契約の管理を依頼する。
（ｊ）契約管理部１５は、受信した契約を、等価な契約によってグループ化し管理し、その結果を契約破棄代行部１４に送信する。
（ｋ）契約破棄代行部１４は、契約破棄手数料算出部１７に手数料算出依頼を送信する。
（ｌ）契約破棄手数料算出部１７は、契約代行部１３が持つ該契約の発生頻度などの統計データや、契約管理部１５が管理する等価な契約の数、該契約の内容などから、契約破棄手数料を算出し、契約破棄代行部１４に返却する。具体的には、契約破棄手数料は、管理する等価な契約の数が多い場合、契約の発生頻度が少ない場合などには、高くなる。
（ｍ）契約破棄代行部１４は、買主境界部１１に対して、契約破棄手数料を送信する。
（ｎ）買主境界部１１は、買主装置２に対して、契約破棄手数料を送信する。
【００４８】
《７》契約破棄依頼部１６が、定期的な契約破棄を実施する場合について、図８のシーケンス図を用いて説明する。
（ａ）契約破棄代行部１４は、契約管理部１５に、管理される全ての契約の取得を依頼する。
（ｂ）契約破棄代行部１４は、外部のコスト計算装置に、破棄すべき契約の計算を依頼し、結果を受信する。
（ｃ）契約破棄依頼部１６は、破棄の対象となった契約に対して、以下の処理を繰り返し実施する。
○１（○印１を表す。以下、同様）．売主境界部１２に対して、対象の契約の契約破棄依頼を送信する。
○２．売主境界部１２は、契約破棄依頼を、売主装置３に送信する。
○３．売主装置３は、契約破棄を実施し、破棄の結果を売主境界部１２に送信する。
○４．売主装置３は、破棄の結果を、契約破棄依頼部１６に送信する。
○５．契約破棄依頼部１６は、対象の契約の削除を契約管理部１５に依頼する。
○６．契約管理部１５は、対象の契約を削除する。
【００４９】
なお、図１を用いて説明した本装置における各部の一部もしくは全部の機能をコンピュータのプログラムで構成し、そのプログラムをコンピュータを用いて実行して本発明を実現することができること、あるいは、図２〜図８を用いて説明した処理の手順をコンピュータのプログラムで構成し、そのプログラムをコンピュータに実行させることができることは言うまでもなく、コンピュータでその機能を実現するためのプログラム、あるいは、コンピュータにその処理の手順を実行させるためのプログラムを、そのコンピュータが読み取り可能な記録媒体、例えば、フレキシブルディスクや、ＭＯ、ＲＯＭ、メモリカード、ＣＤ、ＤＶＤ、リムーバブルディスクなどに記録して、保存したり、配布したりすることが可能である。また、上記のプログラムをインターネットや電子メールなど、ネットワークを通して提供することも可能である。このように、記録媒体やネットワークにより提供されたプログラムをコンピュータにインストールすることで、本発明が実施可能となる。
【００５０】
【発明の効果】
本発明によれば、契約の破棄時に買主に対して発生する契約破棄料を、例えば減額、あるいは一定額にするなどにより請求することで、買主、あるいは買主の意思を代行する計算機が、キャンセルするリスクを心配せずに契約することを可能にするとともに、売主に対しては、本来契約が破棄されることで得られなくなったであろう利益が、別の契約者に割り当てられることで、得られる可能性、および、別の買主への割り当てが成功した場合の買主変更手数料を取得する可能性を与えることが可能となる。本発明の実施や構成に関係する法人・個人・団体は、手数料の差益を得られる可能性や、その差益をサービスに転嫁（すなわち、関係する法人・個人・団体が差益を得ないかわりに、売主・買主にサービスとして転嫁）することができる。
【図面の簡単な説明】
【図１】本発明による契約代行装置の実施の一形態を示す構成図である。
【図２】本発明による契約代行方法の実施の一形態を説明する図であって、買主境界部が、契約管理部で管理されない新規契約依頼を買主装置から受信した場合について説明するシーケンス図である。
【図３】本発明による契約代行方法の実施の一形態を説明する図であって、買主境界部が、契約管理部で管理される契約に等価な新規契約依頼を買主装置から受信した場合について説明するシーケンス図である。
【図４】本発明による契約代行方法の実施の一形態を説明する図であって、買主境界部が、契約管理部で管理される契約に類似する新規契約依頼を買主装置から受信した場合で、売主が変更契約可能であると判断した場合について説明するシーケンス図である。
【図５】本発明による契約代行方法の実施の一形態を説明する図であって、買主境界部が、契約管理部で管理される契約に類似する新規契約依頼を買主装置から受信した場合で、売主が変更契約不可能であると判断した場合で、売主が類似契約による契約を可能であると判断した場合について説明するシーケンス図である。
【図６】本発明による契約代行方法の実施の一形態を説明する図であって、買主境界部が、契約管理部で管理される契約に類似する新規契約依頼を買主装置から受信した場合で、売主が変更契約不可能であると判断した場合で、売主が類似契約による契約を不可能であると判断した場合、買主境界部が、買主装置から締結された契約の破棄依頼を受信した場合について説明するシーケンス図である。
【図７】本発明による契約代行方法の実施の一形態を説明する図であって、買主境界部が、買主装置から締結された契約の破棄依頼を受信した場合について説明するシーケンス図である。
【図８】本発明による契約代行方法の実施の一形態を説明する図であって、契約破棄依頼部が、定期的な契約破棄を実施する場合について説明するシーケンス図である。
【符号の説明】
１…契約代行装置
１１…買主境界部
１２…売主境界部
１３…契約代行部
１４…契約破棄代行部
１５…契約管理部
１６…契約破棄依頼部
１７…契約破棄手数料算出部
１８…買主名義変更手数料算出部
１９…契約管理方法選択部
２…買主装置
３…売主装置
【図１】
2004341587.tif 000003
【図２】
2004341587.tif 000004
【図３】
2004341587.tif 000005
【図４】
2004341587.tif 000006
【図５】
2004341587.tif 000007
【図６】
2004341587.tif 000008
【図７】
2004341587.tif 000009
【図８】
2004341587.tif 000010